(57)【特許請求の範囲】
【請求項１】
電子部品を基板に実装するための諸工程で用いられる電子部品実装用装置であって、
パスワードを記憶するパスワード記憶部と、パスワードの入力を必要としない作業とパスワードの入力を必要とする作業を選択的に行うことができ、パスワードの入力を必要とする作業を行う場合には入力部より入力されたパスワードと前記パスワード記憶部に記憶されたパスワードとを照合して一致したときその作業を実行する制御部と、携帯用記憶手段に記憶された情報を読み取る読取部とを備え、
前記制御部は、前記読取部で読み取られた前記携帯用記憶手段の情報よりこの携帯用記憶手段の種類を識別し、この種類がある特定の携帯用記憶手段を示すものであれば、前記パスワード記憶部に記憶されているパスワードの修正を可能とし、他の特定の記憶手段を示すものであれば、パスワードの入力を必要とする作業をパスワードの入力なしで実行できるようにしたことを特徴とする電子部品実装用装置。
【発明の詳細な説明】
【０００１】
【発明の属する技術分野】
本発明は、キーディスクなどの携帯用記憶手段を用いて操作を行う電子部品実装用装置に関するものである。
【０００２】
【従来の技術】
電子部品実装用装置としては、電子部品をプリント基板、リードフレーム、表示パネルなどの様々な基板に搭載するチップマウンタやダイボンダ、プリント基板に電子部品を半田付けするためのクリーム半田を塗布するスクリーン印刷装置、基板と基板上のチップをワイヤで接続するワイヤボンダ、基板やチップなどのワークの電極上にバンプを形成するための金属ボールを搭載するボール搭載装置などの多くの装置がある。
【０００３】
このような電子部品実装用装置を工場内で管理する管理者としては、これらの装置を日常運転して製品の生産を行う下級管理者、製品の生産のための日常の運転に必要な様々なデータの管理や入力を行う上級管理者、電子部品実装用装置の保守や修理を行うサービスマンなどの様々な管理者がいる。
【０００４】
【発明が解決しようとする課題】
上述のように電子部品実装用装置の管理内容は、管理者のレベルによって異っており、各管理者は自分が担当する操作以外の操作を行ってはならない。具体的には、例えば下級管理者は、日常の生産に必要な操作（例えば、材料の供給、装置運転のスタート停止、生産量の確認など）しか行えないようにしてある。これに対し上級管理者は、上述した操作に加えて上級管理者しか行えない作業項目（例えば、回路基板上に電子部品を実装する実装装置であれば、部品を搭載する座標データや装置のオフセットデータ等の修正、生産する基板に関するデータの修正、装置の調整に必要な操作など）を実行できるようになっている。このため、上級管理者しか行えない作業項目については、下級管理者が知らないパスワードを入力しないと実行できないようにしている。
【０００５】
またサービスマンは、その性格上、広範な操作を行うが、サービスマンは、通常、工場外の人間であるので、電子部品実装用装置を運転するためのパスワードの修正を行ってはならない。
【０００６】
以上のように、電子部品実装用装置においては、各管理者は、自分が担当する管理のみを行うことが望ましいのであるが、従来の電子部品実装用装置は各管理者は自分が担当する管理以外の事項も操作可能であったため、データの混乱等のトラブルが発生するおそれがあった。すなわち、具体的には、下級管理者の中には、パスワードの修正を行う操作を覚えて、上級管理者に無断で勝手にパスワードを修正してしまうという問題があった。このように下級管理者が無断でパスワードの修正を行うと、場合によっては電子部品実装用装置の運転ができなくなり、生産がストップしてしまう。
【０００７】
またサービスマンは電子部品実装用装置の点検・整備のため上級管理者しか行えない作業を行う必要があるが、いちいちパスワードを入力しながらの作業では点検・整備に時間がかかる。またサービスマンは、通常、工場外の人であり、工場内の特定の人しか知らないパスワードを外部の人に知られてしまうのはセキュリティ上問題がある。
【０００８】
したがって本発明は、自分が担当する管理以外の事項を各管理者が勝手に行えないようにする電子部品実装用装置を提供することを目的とする。さらに詳しくは、キーディスクなどの携帯用記憶手段を持った者、すなわちパスワードを変更する資格が与えられた者だけがパスワードの変更が行えるようにすることにより、勝手にパスワードが変更されることを防止することができ、またサービスマンが装置の点検・調整・修理をするときにパスワードを入力しなくても本来パスワードの入力を必要としていた作業を実行可能にしてサービスマンの作業効率をよくすると共に、サービスマンにパスワードを知られないようにすることができる電子部品実装用装置を提供することを目的とする。
【０００９】
【課題を解決するための手段】
このために本発明は、パスワードを記憶するパスワード記憶部と、パスワードの入力を必要としない作業とパスワードの入力を必要とする作業を選択的に行うことができ、パスワードの入力を必要とする作業を行う場合には入力部より入力されたパスワードとパスワード記憶部に記憶されたパスワードとを照合して一致したときその作業を実行する制御部と、携帯用記憶手段に記憶された情報を読み取る読取部とを備え、制御部は、読取部で読み取られた携帯用記憶手段の情報よりこの携帯用記憶手段の種類を識別し、この種類がある特定の携帯用記憶手段を示すものであれば、パスワード記憶部に記憶されているパスワードの修正を可能とし、他の特定の記憶手段を示すものであれば、パスワードの入力を必要とする作業をパスワードの入力なしで実行できるようにした。
【００１０】
【発明の実施の形態】
本発明によれば、キーディスクなどの携帯用記憶手段の種類により操作可能な内容が決定されるので、各管理者が各々専用の携帯用記憶手段を保有することにより、担当以外の操作を勝手に行えないようにすることができる。
【００１１】
以下、本発明の一実施の形態を図面を参照して説明する。図１は本発明の一実施の形態の電子部品実装用装置の斜視図、図２は同制御系のブロック図である。この電子部品実装用装置は、電子部品をプリント基板に搭載するチップマウンタである。１は基台であり、その上面にはプリント基板２とパーツフィーダ３が設けられている。４はプリント基板２のガイドレールである。基台１上にはカバーボックス５が設けられている。カバーボックス５の上部には移載ヘッド６が設けられている。カバーボックス５の内部には移動テーブルが内蔵されている。移載ヘッド６は移動テーブルに駆動されて水平方向へ移動し、パーツフィーダ３に備えられた電子部品をプリント基板２の所定の座標位置に搭載する。
【００１２】
カバーボックス５の前面には、操作のための表示パネルを兼務するタッチパネル７、キーボード８、ディスク読取部９が設けられている。１０Ａ、１０Ｂは携帯用記憶手段としてのキーディスクであり、ディスク読取部９に挿入してセットする。キーディスク１０Ａ，１０Ｂには、その種類（上級管理者専用かサービスマン専用等）に関する情報が記憶されている。本実施の形態では、一方のキーディスク１０Ａは上級管理者が保有し、他方のキーディスク１０Ｂはサービスマンが保有する。下級管理者はキーディスクを保有しない。後述するように、上級管理者専用のキーディスク１０Ａをディスク読取部９にセットすると、広汎な操作が可能となる。またサービスマン専用のキーディスク１０Ｂをセットすると、キーワードの修正以外の広汎な操作が可能となる。また下級管理者はキーディスクをセットしないので、限定された操作のみが可能である。なお携帯用記憶手段としては、キーディスク以外にも、ＩＣカードや磁気カードなどがある。
【００１３】
図２において、タッチパネル７，キーボード８，ディスク読取部９，パスワード記憶部１５は制御部１４に接続されている。制御部１４は、パスワード照合部１４ａとディスク認識部１４ｂを有している。１６は機構制御部である。
【００１４】
図３は本発明の一実施の形態の電子部品実装用装置の操作のフローチャート、図４、図５、図６は同タッチパネルの画面図である。以下、各図を参照して操作方法を説明する。
【００１５】
まず作業メニュー選択画面を映出する（Ｓ１）。図４はその画面を示している。作業メニュー（図４の画面に示す「自動運転」または「データ編集」の何れか一方）を選択する（Ｓ２）。この選択は、画面にタッチすることにより行う。ここで、「自動運転」は下級管理者の管理項目に含まれており、したがってパスワード入力は不要であるが、「データ編集」は下級管理者の管理項目に含まれていないので、パスワード入力が必要である。
【００１６】
次にパスワード入力が必要かを判定する（Ｓ３）。ここで、自動運転が選択された場合にはパスワード入力は不要となり、Ｓ１０へ移行し、パスワード入力を必要としない作業を実行する。
【００１７】
さてＳ３において、データ編集が選択された場合、パスワード入力は必要であり、Ｓ４へ移行する。Ｓ４で、キーディスクがサービスマン用のものであるか否かを判定する。具体的に説明すると、ディスク読取部９にセットされたキーディスクからこのキーディスクに関する情報を読み取り、ディスク認識部でこのキーディスクの種類を判定する。そしてＹｅｓであればＳ９へ移行し、パスワード入力が必要な作業を実行する。またＳ４でＮｏであれば、Ｓ５へ移行し、図５に示すパスワード入力画面を表示する。そしてＳ６でパスワードを入力し、Ｓ７でパスワード照合を行う。そしてＯＫならばＳ９へ移行し、ＮＧならば、Ｓ８へ移行し、パスワードが異ることを表示する。
【００１８】
一方、Ｓ５で、図５に示す表示画面の「パスワード修正」１２をタッチした場合には（Ｓ１１）、Ｓ１２で装置管理者（上級管理者）用のキーディスクであるか否かを判定する。そしてＮｏであれば注意を促す表示を行い（Ｓ１３）、Ｓ５へ戻る。またＹｅｓであればＳ１４へ移行し、図６に示すパスワード修正画面を表示する。次いで新規パスワード入力を行い（Ｓ１５）、パスワード記憶部のパスワードを更新し（Ｓ１６）、すべての操作は終る。
【００１９】
本実施の形態では、電子部品実装用装置としてチップマウンタを例にとって説明したが、本発明はダイボンダ、スクリーン印刷装置、ワイヤボンダなどの他の電子部品実装用装置にも適用できる。また管理者の種類やその役割の担当内容は自由に決定できることは勿論であり、また下級管理者にも専用のキーディスクを保有させるようにしてもよい。
【００２０】
【発明の効果】
以上のように本発明によれば、たとえば下級管理者、上級管理者、サービスマンなどの様々な管理者は、それぞれ自分が担当する操作のみを行うことができ、担当以外の事項については操作できないので、たとえば下級管理者が日常の生産運転以外の操作を無断で行ったり、あるいはサービスマンが勝手にパスワードの修正を行うなどの禁止行為を行うことを防止でき、したがってセキュリティ上きわめて有利である。
【図面の簡単な説明】
【図１】本発明の一実施の形態の電子部品実装用装置の斜視図
【図２】本発明の一実施の形態の電子部品実装用装置の制御系のブロック図
【図３】本発明の一実施の形態の電子部品実装用装置の操作のフローチャート
【図４】本発明の一実施の形態の電子部品実装用装置のタッチパネルの画面図
【図５】本発明の一実施の形態の電子部品実装用装置のタッチパネルの画面図
【図６】本発明の一実施の形態の電子部品実装用装置のタッチパネルの画面図
【符号の説明】
２  プリント基板
３  パーツフィーダ
５  カバーボックス
６  移載ヘッド
７  タッチパネル
９  ディスク読取部
１０Ａ、１０Ｂ  キーディスク
【図１】
0003543484.tif 000002
【図２】
0003543484.tif 000003
【図３】
0003543484.tif 000004
【図４】
0003543484.tif 000005
【図５】
0003543484.tif 000006
【図６】
0003543484.tif 000007